(57)【要約】オーディトリアムは、前端に位置する少なくとも１つのスクリーンと、前記スクリーン（１４）上にビジュアルコンテンツを表示するために適した表示装置（２２）と、前記スクリーンに面して配置された後壁（１５）と、を有する。オーディトリアムは、各々に複数の座席が固定され各々が突出プラットフォームであり各々が当該シアターの幅の７０％未満の幅を呈する一定数のプラットフォーム（１７、１１７）を更に有する。【選択図】図８
2020514597.tif 000002
【特許請求の範囲】
【請求項１】
前端に位置する少なくとも１つのスクリーン（１４）と、
前記少なくとも１つのスクリーン（１４）上にビジュアルコンテンツを表示するために適した表示装置（２２）と、
前記少なくとも１つのスクリーンに面して配置された後壁（１５）と、
各々に複数の座席が固定されている複数のプラットフォーム（１７、１１７）と
を備えるシアターであって、
前記プラットフォームの各々は、突出プラットフォームであり、当該シアターの幅の７０％未満の幅を呈する、シアター。
【請求項２】
前記プラットフォーム（１７、１１７）のうちの少なくとも１つが、空中プラットフォームである、請求項１に記載のシアター。
【請求項３】
少なくとも１つの空中プラットフォーム（１７、１１７）は、前記後壁のみによって支持され、さらには／あるいは前記後壁を介してのみ支持されている、請求項２に記載のシアター。
【請求項４】
前記プラットフォーム（１７、１１７）へのアクセス経路を含んでおり、該アクセス経路は、複数の階を定めており、
前記プラットフォームのうち、少なくとも第１のプラットフォームおよび第２のプラットフォームが、実質的に同じレベルにおいて水平方向に配置され、前記第１および第２のプラットフォームの間の高さの差は、階の高さの７０％未満である、請求項１〜３のいずれか一項に記載のシアター。
【請求項５】
前記少なくとも１つのプラットフォームは、前記後壁から離して配置されている、請求項１〜４のいずれか一項に記載のシアター。
【請求項６】
前記プラットフォームのうちの少なくとも１つのプラットフォームの後部は、該プラットフォームの最大幅（Ｌｍａｘ）よりも小さい幅（Ｌ１）を有する、請求項１〜５のいずれか一項に記載のシアター。
【請求項７】
前記プラットフォーム（１７）のうちの少なくとも１つのプラットフォームへのアクセスは、前記後壁（１５）を貫いて配置された１つ以上の通路を介してのみ得ることができるようなやり方で構成された、請求項１〜６のいずれか一項に記載のシアター。
【請求項８】
前記プラットフォームのうちの少なくとも１つのプラットフォームについて、少なくとも１つのアクセス連絡路（４０）が特に後壁（１５）から該プラットフォームへのアクセスを提供する、請求項１〜７のいずれか一項に記載のシアター。
【請求項９】
少なくとも１つのプラットフォーム（１７；１１７Ｂ；１１７Ｃ）が、前記少なくとも１つの連絡路（４０；１４０１、１４０２；１４１１、１４１２、１４１３）によってのみ支持されている、請求項８に記載のシアター。
【請求項１０】
前記プラットフォームのうちの少なくとも１つのプラットフォームについて、前記少なくとも１つの連絡路（４０；１４０１、１４０２；１４１１、１４１２、１４１３）は、該プラットフォームの最大幅（Ｌｍａｘ）の半分よりも小さい累積幅（Ｌ２）を超えて延びている、請求項８又は９に記載のシアター。
【請求項１１】
前記プラットフォームのうちの少なくとも１つのプラットフォームは、前記後壁（１５）を該プラットフォーム（１７；１１７Ｂ；１１７Ｃ）へと接続する１つ以上のアーム（４０；１４０１、１４０２；１４１１、１４１２、１４１３）によって本質的に支持されている、請求項１〜１０のいずれか一項に記載のシアター。
【請求項１２】
前記プラットフォームのうちの少なくとも１つは、前記後壁（１５）を通過して該後壁（１５）上に支持される少なくとも１つの梁（４１）によって支持され、前記梁は、前記後壁の前記スクリーン（１４）から離れる方を向いた側に配置されたカウンターウェイト（４２）を支持する、請求項１〜１１のいずれか一項に記載のシアター。
【請求項１３】
上方のプラットフォーム（１７、１１７）ほど前記スクリーン（１４）から遠くに位置する、請求項１〜１２のいずれか一項に記載のシアター。
【請求項１４】
前記後壁（１５）は、後方へと傾斜した前面を呈する、請求項１〜１３のいずれか一項に記載のシアター。
【請求項１５】
正面図において、少なくとも１つのプラットフォーム（１７、１１７）が、該プラットフォームに最も近い４つの他のプラットフォームに対して互い違いの構成に配置されている、請求項１〜１４のいずれか一項に記載のシアター。
【請求項１６】
天井（１１）をさらに備えており、前記後壁は、前記天井（１１）までは延びていない、請求項１〜１５のいずれか一項に記載のシアター。
【請求項１７】
少なくとも第１の高さ、および好ましくは該第１の高さから少なくとも１階分の高さだけオフセットされた少なくとも第２の高さにおいて、所与の水平断面内に少なくとも２つのプラットフォームが存在する、請求項１〜１６のいずれか一項に記載のシアター。
【発明の詳細な説明】
【技術分野】
【０００１】
本発明は、シアターの分野にあり、とくには１つ以上のスクリーン上にビジュアルコンテンツを表示するための装置、とりわけビジュアルコンテンツを投影するための装置を含むシアターの分野にある。そのようなシアターは、とくにはムービーシアターを含み、とりわけワイドスクリーンのムービーシアターを含む。
【０００２】
スクリーン上にビジュアルコンテンツを表示するための装置は、ビジュアルコンテンツを１つ以上のスクリーン上に投影するように機能するビジュアルコンテンツの投影用の装置、すなわち映写装置であってよい。それにもかかわらず、スクリーン上にビジュアルコンテンツを表示するための装置を、「アクティブ」ディスプレイ、すなわち１つ以上の表示画面を形成する１つ以上の可視面上にビジュアルコンテンツを表示するために適した装置によって構成することも充分に可能である。
【背景技術】
【０００３】
既知のシアターが、とくには米国特許出願公開第２０１４／０２５９９６７号明細書に記載されている。
【０００４】
本明細書において、「スクリーン」という用語は、平面、凹面、または凸面であってよく、ビジュアルコンテンツを表示できるように構成された表面を指すために使用される。通常は、この表面は、実質的に平らであるが、水平断面において凹面の形状かつ垂直断面において平らな形状であってもよい。また、半球形の形状であってもよい。
【０００５】
映写の視覚的インパクトを強め、画像への観客の没入を高めるために、投影スクリーンのサイズは、ここ数年で著しく増大してきている。とくには、ＩＭＡＸ（登録商標）（イメージマキシマム（ｉｍａｇｅ  ｍａｘｉｍｕｍ）の略語）という名称で知られる新たなフィルムフォーマット、したがって新たな画像フォーマットが、開発されている。この技術は、より高い解像度で大きな寸法の画像を投影するように機能する。標準的なＩＭＡＸ（登録商標）スクリーンは、おおむね１５メートル（ｍ）の高さにおいて２５ｍの幅であり、観客の画像への没入を高めるように意図されている。
【０００６】
画像とのこの新たな関係に対応するために、スクリーンに面する観客の配置も、変更する必要がある。とくには、観客がどの列に位置しているかにかかわりなく、各々の観客が、過度に頭を傾けなくても、投影画像の高さ全体を眺めることができることが重要である。
【０００７】
観客の配置は、技術および建築に係る基準に従って決定されるシアターの寸法特性の範囲に含まれる。フランスにおいて、これらの基準はＡＦＮＯＲ  ＮＦ−Ｓ  ２７００１規格によって管理されており、この規格自体は、Ｃｏｍｍｉｓｓｉｏｎ  Ｓｕｐｅｒｉｅｕｒｅ  Ｔｅｃｈｎｉｑｕｅ  ｄｅ  ｌ’Ｉｍａｇｅ  ｅｔ  ｄｕ  Ｓｏｎ（ＣＳＴ）［Ｆｒｅｎｃｈ  ｉｍａｇｅ  ａｎｄ  ｓｏｕｎｄ  ｓｕｐｅｒｉｏｒ  ｔｅｃｈｎｉｃａｌ  ｃｏｍｍｉｓｓｉｏｎ］の勧告ＣＳＴ−ＲＴ−０３５に従って作成されている。
【０００８】
図１および図２を参照すると、これらは２つの既存のＩＭＡＸ（登録商標）ムービーシアター、すなわち図１の２０００年からのＩＭＡＸ（登録商標）−Ｐａｔｈｅ  Ｄｉｓｎｅｙ  Ｖｉｌｌａｇｅ  ｔｈｅａｔｅｒおよび図２の２０１６年からのＩＭＡＸ（登録商標）−Ｐａｔｈｅ−Ｌａ  Ｖａｌｅｔｔｅ  ｄｕ  Ｖａｒ  ｔｈｅａｔｅｒの断面図である。
【０００９】
ムービーシアター１、１ａの容積は、スクリーン２の幅を収容できるような幅、スクリーン２の高さを収容できるような高さ、および映写室４がスクリーンからの距離Ｄに配置される後壁３までのスクリーン２からの長さで決定される。座席の段５が設けられる領域が、シアター１、１ａの長さの一部について広がっている。ＣＳＴの勧告に示されているとおりに段５を設置するための特性を定めるために、投影画像の最大幅Ｌおよび最大高さＨが参照される。以下の説明においては、最大の投影画像の寸法Ｌ、Ｈが、スクリーンを構成するシートの寸法Ｌ、Ｈに対応すると考える。
【００１０】
図１および図２を参照すると、段５は連続して配置され、一連の座席列で構成され、各列は、各列のためのそれぞれの踊り場を有している１つ以上の階段通路（図には示されていない）を介してアクセス可能である。
【００１１】
段５は、最も下方かつスクリーン２に最も近い第１列６から、最も上方かつスクリーン２から最も遠い最終列７まで、スクリーン２に対して垂直にとられた投影軸ＸＸ’（この投影軸ＸＸ’は、シアターの長手軸（図示されていない）に平行である）に沿って延びている。第１列６は、スクリーンから距離Ｄ１に位置し、最終列７は、スクリーン２から距離Ｄ２に位置し、ここでＤ２は当然ながらＤ１よりも大きい。第１列６から最終列７まで投影軸ＸＸ’に平行な軸ＸＸ’１に沿って延びる座席部奥行きＤ３、および第１列６と最終列７との間の高度の差に等しい高さである座席部高さＨ３も、考慮される。最後に、第１列６および最終列７の観客の目を含む平面Ｐと投影軸ＸＸ’に平行な軸ＸＸ’１との間に形成される角度αによって定義される段の傾斜が考慮される。
【００１２】
これら２つのシアターの構成を考えると、第１列６の観客は、投影画像の全体を見ることができるようにするために、過度に頭を傾ける必要がある。この傾きは、２つの角度によって特徴付けられる。第１列６に座る観客の目から出発して、第１の角度α１が、長手軸ＸＸ’に平行かつスクリーン２に垂直な軸ＸＸ’１と、本明細書ではスクリーン２の中心Ｏによって示されている最大の投影画像の半分の高さＨ／２へと向かう直線との間で得られる。第２の角度α２が、長手軸ＸＸ’と、本明細書はスクリーン２の上縁８によって示されている最大の投影画像の上縁へと向かう直線との間で得られる。ＣＳＴは、角度α１を３０°以下にすべきであり、角度α２を４５°以下にすべきであると勧告している。
【００１３】
図１のシアターにおいて、第１の角度α１は２５°であり、第２の角度α２は５０°であり、したがってＣＳＴの勧告が満たされていない。図２のシアターにおいて、第１の角度α１は３３°であり、第２の角度α２は５４°である。これらの角度のいずれも、ＣＳＴの勧告を満たしていない。
【００１４】
したがって、図１および図２の両方のシアターにおいて、スクリーン２および投影画像が大きな寸法を呈する場合、第１列の観客とより上方の列の観客との間で視覚の質に実際の差が存在することを、理解できるであろう。さまざまな規格および勧告に鑑み、現時点において、このようなシアターにおいて、列の数、したがって座席の数を減らすことなく、かつ／または最終列の観客の没入を損なうことなく、第１列６をスクリーンから遠ざかるように移動させることは不可能である。
【発明の概要】
【発明が解決しようとする課題】
【００１５】
本発明は、とくには、第１列から最終列までのすべての観客が、投影される画像に、現時点の従来のシアターと比べて改善されたやり方で、頭を過度に傾けることなく没入できるようにするために、ＣＳＴの勧告ＣＳＴ−ＲＴ−０３５に従って作成されたＡＦＮＯＲ  ＮＦ−Ｓ  ２７００１規格に準拠するムービーシアターを提供しようと試みる。
【００１６】
さらに、本発明は、画像の垂直方向の幾何学的歪みが実質的にゼロであるムービーシアターを提供しようと試みる。
【００１７】
さらに、本発明は、観客にプライバシーと懇親性との複合的な感覚をもたらすムービーシアターを提供しようと試みる。
【００１８】
最後に、本発明は、個人化されたサービスの提供を可能にするムービーシアターを提供しようと試みる。
【課題を解決するための手段】
【００１９】
第１の態様において、本発明は、投影スクリーンを有するシアター、とくにはムービーシアターであって、投影スクリーンが、最大幅および最大高さによって定められる画像をこのスクリーンに垂直な投影軸に沿って投影することを可能にするように構成されているシアター、とくにはムービーシアターを提供する。スクリーンに面して、スクリーンから特定の距離に位置する後壁が広がっており、後壁には、映写装置を収容する映写室が設置されている。シアターは、スクリーンに最も近い第１の距離に位置する第１列からスクリーンから最も遠い第２の距離に位置する最後列まで広がる座席の段を収容する領域を含むことにより、第１列と最後列との間の座席部高さと、段の第１列および最後列を含む平面とスクリーンに垂直な軸との間に形成される角度によって定められる座席部領域の傾斜とを定めている。
【００２０】
第１の態様において、本発明のムービーシアターは、本質的に、座席部領域がスクリーンの高さの少なくとも一部に沿って不連続な段を形成する複数の空中プラットフォームを備え、各々の空中プラットフォームが座席の少なくとも１つの列を含むこと、および座席部領域の傾斜を定める角度αが２４°よりも大きいことを特徴とする。
【００２１】
好都合には、シアターは、所与の土地面積において、シアター内の観客数を最大化することを可能にする。したがって、この構成により、密集した市街地へのムービーシアターの設置がより容易になる。
【００２２】
用語「プラットフォーム」は、おおむねシアターの所与のレベル（または、階）に配置された上面を有し、観客がプラットフォーム上を歩いてプラットフォーム上に設けられた座席にアクセスすることができる構造を指して使用される。プラットフォームの上面は、水平であっても、傾斜していてもよく、傾斜している場合、通常はスクリーンに向かって傾斜している。プラットフォームの上面は、段差を含んでもよい。
【００２３】
さらに、本発明のムービーシアターは、単独で考慮され、あるいは任意の他の技術的に実現可能な組み合わせにて考慮される以下の随意による特性を含むことができる。
・座席部領域の傾斜を定める角度αが、３０°よりも大きく、好ましくは４０°よりも大きい。
・最も下方のプラットフォームの座席の第１列が、以下の基準
Ｄ１≧０．６×Ｌ
を満たすスクリーンに最も近い距離Ｄ１、Ｄ１ａに位置し、ここで、Ｌはスクリーンに投影された最大の画像の幅である。
・最も下方のプラットフォームの最後列は、このやり方で形成された座席部領域の座席部高さＨ３と併せて、以下の基準
Ｄ２＜１．５×ＬかつＨ３＞０．６×Ｈ
を満たすスクリーンから最も遠い第２の距離Ｄ２に位置し、ここで、Ｌはスクリーンに投影された最大の画像の幅であり、Ｈはスクリーンに投影された最大の画像の高さである。
・座席部高さＨ３および第２の距離Ｄ２は、以下の基準
０．９×Ｈ＜Ｈ３≦ＨかつＤ２＜１．２×Ｌ
を満たす。
・観客の目のレベルにおいて考慮される最も下方のプラットフォームの第１列、および観客の目のレベルにおいて考慮される最も上方のプラットフォームの最後列が、スクリーンの下縁と上縁との間においてスクリーンに面して位置する。
・高さＨ３の１／２に位置する座席部領域の中央列は、スクリーンの中心Ｏに面する。
・投影装置がスクリーンの中心点に面して位置しており、スクリーンの中心点に面して位置するプラットフォームが存在しない。
・最も下方のプラットフォームを除き、座席によって占められた各々のプラットフォームのスクリーンに最も近い前縁は、スクリーンからの距離が、下方のプラットフォームのスクリーンに最も近い前縁のスクリーンからの距離と比べて大きい。
・座席を有する各々のプラットフォームの前縁のスクリーンからの距離は、最も下方のプラットフォームを除いて、この前縁が、直下に位置するプラットフォームの最後列の観客の目から出発するスクリーンの上縁を見つめる視野軸上に位置することがないような距離である。
・プラットフォームは、後壁に沿って互い違いの構成にて配置される。
・各々のプラットフォームは、円形の前縁を呈し、各々のプラットフォームにおける列の数が、２〜４の範囲にある。
・水平面における断面において、後壁は、スクリーンの湾曲とは反対の湾曲を有する円弧の形状である。
【００２４】
本発明の第２の態様は、より一般的にシアターに関し、シアターは、前端に位置する少なくとも１つのスクリーンと、この少なくとも１つのスクリーン上にビジュアルコンテンツを表示するために適した表示装置と、この少なくとも１つのスクリーンに面して配置された後壁とを有する。表示装置は、とくには、例えば映写装置など、ビジュアルコンテンツを投影するための装置であってよい。
【００２５】
本発明のこの第２の態様は、土地面積が小さいが、この小さい土地面積の制約にもかかわらず、観客（または、少なくとも一部の観客）に一定のプライバシーの感覚を与えつつ、それらの観客が多数の他の観客と同時にショーを楽しむことを可能にすることで、ショーが喚起するであろう集団的情動を体験させるシアターを定めようと試みる。
【００２６】
この目的は、シアターが複数のプラットフォームをさらに備え、これらのプラットフォームの各々に複数の座席が固定され、これらのプラットフォームの各々が、シアターの幅の７０％未満の幅を呈する突出プラットフォームであることによって、達成される。
【００２７】
「突出プラットフォーム」という用語は、少なくともプラットフォーム上に存在する観客にとって、例えば連絡路およびアクセス通路などを介して、座席の背後からのみシアターの残りの部分に接続されているように見える（好ましくは、実際に座席の背後からのみシアターの残りの部分に物理的に接続されている）プラットフォームを指して使用される。
【００２８】
したがって、この特性によって、突出プラットフォームは、（プラットフォームの背後の部分を除いて）シアターの残りの部分のすべてから離れている。これにより、プラットフォーム上に存在する観客は、シアターの他の部分からいくらか孤立したように感じることができ、したがって或る程度のプライバシーの感覚を享受することができる。
【００２９】
結果として、突出プラットフォームの場合、座席の背後のプラットフォームの後方を経由しない限り、或るプラットフォームから別のプラットフォームへと移動することは不可能である。
【００３０】
とくには、１つ以上のプラットフォームを、後壁の後方へと進み、あるいは後壁に沿って移動しない限りは、プラットフォームにアクセスできないようなやり方にて構成することができる。
【００３１】
プラットフォームの幅とは、シアターの横方向、すなわちシアターの前後方向に垂直な水平方向における最大寸法を指す。
【００３２】
プラットフォームは、例えばシアターの幅の４０％未満、あるいは２５％未満など、比較的小さな幅であってよい。この構成は、小さなプラットフォームを有することにより、プラットフォームにおけるプライバシーの感覚および安全性を向上させることを可能にする。
【００３３】
さらに、幅の小さいプラットフォームを、同じ高さ、またはわずかにオフセットされた高さで、横に並べて配置することができる。
【００３４】
したがって、一実施形態において、少なくとも第１の高さ、および好ましくは第１の高さから少なくとも１階分の高さだけオフセットされた少なくとも第２の高さにおいて、所与の水平断面内に少なくとも２つのプラットフォームが存在する。
【００３５】
好ましくは、座席は、種々のプラットフォームに堅固に固定される。
【００３６】
各々のプラットフォームは、そのプラットフォームを占める人々に或る程度のプライバシーを与えるようなやり方で配置されている。
【００３７】
好ましくは、種々のプラットフォームの各々に関して、シアターは、いかなる座席も該当のプラットフォームを占める観客の背後からの下方の眺めを与えることがないようなやり方で構成され、換言すると、シアターのいかなる座席も、後壁とプラットフォームとの間のプラットフォームの座席の背後およびプラットフォームの前方視を与える位置には配置されない。
【００３８】
一実施形態において、プラットフォームのうちの少なくとも１つは、空中プラットフォームである。用語「空中プラットフォーム」は、本明細書において、プラットフォームのためのスタンドまたは支持体が通っていない（プラットフォームと同じ面積を有する）開放空間が直下に存在するプラットフォームを意味するように使用される。
【００３９】
これは、当然ながら、空中プラットフォームの支持体に一定の制約を課す。
【００４０】
とくには、空中プラットフォームを、後壁との固定、すなわち支持だけで、所定の位置に保持することができる。その場合、シアターのフロアまたは別のプラットフォーム上に立ち、あるいはシアターの側壁（左右の壁）によって支持されるプラットフォームの下方に、支持要素（とくには、支持柱または支柱）が、配置されることがない。
【００４１】
したがって、一実施形態においては、少なくとも１つの空中プラットフォームが、後壁によってのみ支持され、さらには／あるいは後壁を介してのみ支持される（または、同等のやり方で、この少なくとも１つの空中プラットフォームは、後壁にのみ載せられ、あるいは後壁のみに支持され、さらには／もしくは後壁を介してのみ支持される）。本明細書において、「プラットフォームの支持」という用語は、プラットフォームに機械的な支持を提供するすべての要素（梁、コンクリートスラブ、など）を余すところなく包含する。したがって、該当のプラットフォームは、シアターの側面に支持されることがない。
【００４２】
好都合には、プラットフォームのための機械的支持が、シアターの後壁によってのみ提供されるため、プラットフォームの存在から生じる建築上の制約は、後壁にのみ当てはまる。この設計は、シアターの構成に関して特定の可能性を切り開く。とくには、シアターの側壁を構成する壁の機械的な質を、（少なくとも空中プラットフォームの支持に関して）シアターの設計時にもはや考慮する必要がない。
【００４３】
これは、例えばシアターの側壁に構造的に手を加えることなく１つ以上の空中プラットフォームを支持する後壁を構築することによって既存のシアターを改修することで、とくに簡単なやり方でシアターを作ることを可能にする。
【００４４】
好ましくは、プラットフォームは、その側面にいかなる支持体も有していないため、シアターの側壁（左右の壁）から離して配置することも可能である。したがって、この形式の支持は、突出プラットフォームの生成をより容易にする。
【００４５】
しかしながら、代案として、一実施形態においては、プラットフォームのための支持体をシアターの側面で支持してもよい。
【００４６】
例えば、プラットフォームを、プラットフォームの後ろ（スクリーンに対して）に配置されたギャラリーに接続でき、ギャラリー自体は、シアターの１つ以上の側壁に支えられる。
【００４７】
本発明のシアターは、通常は、観客が少なくとも部分的におおむね重ね合わせられた特定の数のプラットフォームに分散させられるため、従来からのシアターよりも（スクリーンに垂直な方向の）奥行きが小さい。この小さい奥行きを、以下のように活用することができ、すなわち後壁が、種々のプラットフォームへのアクセスを提供する通路を後壁に背後に位置させつつ、既存のシアターの後部に配置される。
【００４８】
さらに、後壁は、随意により、シアターの天井（とくには、屋根）を支持する機能を有してもよい。後壁は、屋根を支持するというこの機能を有する必要はなく、何よりもプラットフォームを支持する機能および種々のプラットフォームへのアクセスをもたらす要素（階段、フロア、連絡路、など）を支持する機能を有することができる。例えば、一実施形態において、後壁は、シアターの天井までは延びていない。
【００４９】
好ましくは、シアターは、ただ１つのプラットフォームを有するのではなく、むしろいくつかのプラットフォームを有する。したがって、シアターは、上述のプラットフォームと同じ特性を呈する１つ以上の他の空中プラットフォームを有する。
【００５０】
さらに、既知のやり方で、他の座席をシアターのフロアに当然ながら設けることができる。
【００５１】
プラットフォームは、以下の構成のうちの１つ以上を呈することができる。（これらの構成は、以下で或る１つのプラットフォームに関して説明されるが、随意により複数のプラットフォームに適用可能であり、おそらくはすべてのプラットフォームに適用可能である。）
【００５２】
プラットフォームの形状および位置
上述のように、各々のプラットフォームは突出しており、したがってスクリーンと後壁との間の共通のシアター容積内に配置されている。
【００５３】
さらに、プラットフォームの空間とシアターの内部容積の残りの部分との間に、好ましくは分離が（例えば、一枚のガラスでさえも）存在しない。
【００５４】
これにより、プラットフォームの座席のうちの１つに座る観客は、特定のプライバシー感を享受し、シアターに存在する他の多数の観客と混ざり合う感覚を有さない。結果として、ショーの存在下で多数の観客が特定の情動を感じるとき、プラットフォームに座る各々の観客も、同様にその情動を感じることができ、したがって集団的情動に参加することができる。
【００５５】
さらに、各々のプラットフォームは、後壁に対して後壁と一体に配置されてよく、あるいは後壁から離して配置されてもよい。この第２のようにすることは、そのプラットフォーム上の観客にとってプライバシー感を強める役に立つ。
【００５６】
とくには、一実施形態において、１つ以上のプラットフォームの座席は、後壁から離して配置され、とくには後壁から少なくとも３列分の奥行きに配置される（ここで、「列の奥行き」は、隣接する２つの座席列の一部を形成する２つの座席間のシアターの前後方向に測定した距離である）。
【００５７】
さらに、上方から見て、各々のプラットフォームの形状は、かなり自由に選択可能である。例えば、プラットフォームは、ディスクの形状（円形）であってよい。
【００５８】
一実施形態において、これらのプラットフォームのうちの少なくとも１つのプラットフォームの後部は、プラットフォームの最大幅よりも小さい幅を有する。プラットフォームの後部は、とくには、プラットフォームの最大幅の８０％未満の幅を呈することができる。（ここでは、プラットフォームのうちの観客が移動することができる部分のみを考慮する。）
【００５９】
この構成は、プラットフォームへのアクセスと座席との間に末広がりの形状または少なくとも中間的な幅の通路を提供することを可能にし、したがって該当のプラットフォームとシアターの残りの部分との間の観客の流動的な移動を促進する。
【００６０】
プラットフォームへのアクセス
プラットフォームへのアクセスは、好ましくは、プラットフォームの後部を介して提供される。
【００６１】
一実施形態においては、前記プラットフォームまたは前記プラットフォームのうちの少なくとも１つのプラットフォームについて、シアターは、少なくとも１つのプラットフォームへのアクセスを後壁を貫いて形成された１つ以上の通路を介してのみ行うことができるように構成される。
【００６２】
このようにすることで、観客がショーの最中に移動することによって引き起こされるショーへの妨害が可能な限り最小化される。
【００６３】
別の実施形態においては、少なくとも１つのプラットフォームについて、シアターは、該当のプラットフォームへのアクセスを後壁に沿って延びる１つ以上のギャラリーを介してのみ行うことができるように構成される。このようにすることで、観客がショーの最中に移動することによって引き起こされるショーへの妨害が可能な限り最小化される。
【００６４】
一実施形態においては、前記プラットフォームのうちの少なくとも１つについて、少なくとも１つのアクセス連絡路が、とくには後壁からプラットフォームへのアクセスをもたらす。シアターを、とくには、該当のプラットフォームへのアクセスを前記少なくとも１つの連絡路を介してのみ行うことができるようなやり方で構成することができる。
【００６５】
このような連絡路を移動することで、プラットフォームにアクセスする観客は、場所が変わり、特定の空間にアクセスするという印象を受ける。この感覚を、他の構成（フロアの特定の敷物など）によって高めることができる。
【００６６】
この感覚を強めるために、一実施形態においては、少なくとも１つのプラットフォームについて、前記少なくとも１つの連絡路は、該当のプラットフォームの全幅の半分未満（好ましくは、３分の１未満）の累積幅（連絡路が２つ以上存在する場合に複数の連絡路の幅を合計することによって得られる）について広がる。
【００６７】
プラットフォームの支持
プラットフォームを、さまざまなやり方で支持することができる。
【００６８】
一実施形態においては、プラットフォームのうちの少なくとも１つは、後壁をプラットフォームに接続する１つ以上のアームによって本質的に支持される。例えば、上方から見たとき、プラットフォームの支持体は、後壁をプラットフォームに接続する単一のアームのように見えるかもしれない。
【００６９】
「本質的に支持され」という用語は、該当のプラットフォームの重量の９０％超が、後壁をプラットフォームに接続するアームによって支持されることを意味する。
【００７０】
一実施形態において、支持体は、後壁を通過して後壁に載せられた少なくとも１つの梁を有する。
【００７１】
プラットフォームの支持要素は、後壁に支持されてもよいが、後壁の反対側に位置する要素に固定されてもよい。
【００７２】
したがって、一実施形態において、プラットフォームのうちの少なくとも１つは、後壁を通過して後壁に載せられた少なくとも１つの梁によって支持され、この梁は、後壁のスクリーンから離れる方を向いた側に配置されたカウンターウェイトを支持する。このカウンターウェイトは、プラットフォームによって後壁に加えられるねじりモーメントを少なくとも部分的に相殺するように働く。
【００７３】
さらに、カウンターウェイトは、プラットフォームへのアクセス経路を提供してもよい。したがって、とくにはフロアの少なくとも一部分を含むことができる。
【００７４】
好都合には、上述のアクセス連絡路が、アクセスの機能に加えて、プラットフォームを支持する機能も有することができる。したがって、一実施形態において、少なくとも１つのプラットフォームは、前記少なくとも１つの連絡路によってのみ支持されてもよい。
【００７５】
プラットフォームの相対位置
本発明のシアターにおいて、種々のプラットフォームの位置を、ショーの最中に観客により大きな感動をもたらすように最適化することができる。
【００７６】
したがって、一実施形態において、より高い位置にあるプラットフォームは、スクリーンからさらに離れて位置する。
【００７７】
このようにすることで、（最後の階のプラットフォームを除く）種々のプラットフォームを占める観客に、より大きくかつ上方における妨げがより少ない視野角がもたらされ、したがってより自由な感覚がもたらされる。
【００７８】
この結果は、（全体として考えた）前面が後方へと傾斜するように後壁を配置することによって達成することができる。したがって、後壁の前面の各点は、後壁においてより高い位置に位置するにつれてスクリーンから遠ざかる。この構成は、シアターの内部容積を上部において大きくすることにより、観客が一般的に認識する広がりの印象をもたらすのに役に立つ。
【００７９】
これに代え、あるいはこれに加えて、より高い位置に位置するプラットフォームほど後壁により近く位置するようにすることも可能である。
【００８０】
そのような状況下に限らないが、とりわけそのような状況下において、後壁を垂直にすることによって、後壁の能力を自然に向上させることが可能である。
【００８１】
さらに、プラットフォーム上の観客によって知覚されるプライバシー感を、種々のプラットフォームを具体的に選択された異なる高さに配置することによって向上させることができる。
【００８２】
したがって、好ましくは、プラットフォームを、スクリーンの全高にわたって分布した異なるレベルに配置することができる。その場合、シアターは、通常は、プラットフォームへのアクセスをもたらす経路を有し、それらの経路は、複数の階を定めるように機能する。
【００８３】
このような状況下で、一実施形態においては、プラットフォームのうちの少なくとも第１のプラットフォームおよび第２のプラットフォームが、実質的に同じレベルにおいて水平に並べられ、第１および第２のプラットフォームの間の高さの差は、１階分の高さの７０％未満である。
【００８４】
したがって、この実施形態において、該当のレベルにおいて、シアターは、同じレベルまたは隣接するレベルに位置する少なくとも２つのプラットフォームを呈する。このようにすることで、シアターを比較的小さな容積に保ちつつ、観客収容スペース、すなわちプラットフォームを増加させることができる。
【００８５】
プラットフォーム内のプライバシー感を高めるために、第１および第２のプラットフォームを、好ましくは、これら２つのプラットフォーム間に高さのオフセット（例えば、階の高さの２０％を超え、あるいは実際には４０％を超えるオフセット）が存在するようなやり方で配置することができる。
【００８６】
とくには、シアターを正面図において（すなわち、スクリーンから）見たときに他のプラットフォームに囲まれるプラットフォームについて、このプラットフォームを最も近い４つの他のプラットフォームに対して互い違いの構成に配置することが好ましい。このようにすることは、占める容積を最小にしつつ、他のプラットフォームに対する分離感を最大にする役に立つ。
【００８７】
本発明の他の特性および利点は、あくまでも本発明を限定するものではない目安として提示される以下の詳細な説明から、添付の図面を参照して明らかになるであろう。
【図面の簡単な説明】
【００８８】
【図１】上述したように、ＩＭＡＸ−Ｐａｔｈｅ  Ｄｉｓｎｅｙ  Ｖｉｌｌａｇｅ  ｔｈｅａｔｅｒの断面図である。
【図２】上述したように、ＩＭＡＸ−Ｐａｔｈｅ−Ｌａ  Ｖａｌｅｔｔｅ  ｄｕ  Ｖａｒ  ｔｈｅａｔｅｒの断面図である。
【図３】投影軸ＸＸ’からオフセットした図５の垂直断面ＩＩＩ−ＩＩＩにおける本発明の第１の変種のシアターの概略の縦断面図である。
【図４】本発明の第１の変種のシアターについて、投影軸ＸＸ’の平面（図５の垂直断面ＩＶ−ＩＶ）における概略の縦断面図である。
【図５】本発明の第１の変種のシアターの上方からの平面図である。
【図６】後壁に対して互い違いの構成で配置された本発明の第１の変種のシアターの空中プラットフォームの概略の正面図である。
【図７】共通の踊り場につながる一連の交互の高低のプラットフォームを備える本発明の第１の変種のシアターの或る階の平面図である。
【図８】プラットフォームを円弧状の後壁に対して備えている本発明の第１の変種のムービーシアターの空中プラットフォームの概略の斜視図である。
【図９】第１の変種のシアターのプラットフォームの概略の縦断面図である。
【図１０】図９に示したプラットフォームの平面図である。
【図１１】本発明の第２の変種のシアターを示す第１のレベルにおける上方からの断面図である。
【図１２】図１１に示したシアターを示す第１のレベルよりも高い第２のレベルにおける上方からの断面図である。
【図１３】本発明の第３の変種のシアターの投影軸ＸＸ’の平面における概略の縦断面図である。
【図１４】本発明の第４の変種のシアターの概略の縦断面図である。
【図１５】図１４に示した第４の変種のシアターを示す第１のレベルにおける上方からの断面図である。
【発明を実施するための形態】
【００８９】
図１〜図１０を参照して、本発明の第１の実施形態を構成するシアター１０を以下で説明する。
【００９０】
このシアター１０は、前端に位置するスクリーン１４と、映写装置２２（例えば、スクリーン上にビジュアルコンテンツを表示するために適した表示装置など）と、スクリーン１４に面して配置された後壁１５とを有する。後壁１５は、種々のプラットフォーム１７を有し、プラットフォーム１７は、後壁１５から突出し、観客を受け入れるように構成される。この目的のために、各々のプラットフォームには座席が取り付けられる。
【００９１】
これらの種々のプラットフォームは、空中プラットフォームであり、すなわち、とくには図９を参照して後述されるように、後壁によってのみ支持され、さらには／あるいは後壁を介してのみ支持されるプラットフォームである。
【００９２】
このムービーシアターは、独創的な構成の座席部領域を呈する。具体的には、後壁に固定された空中プラットフォームは、図１または図２に示した従来のシアターの構成と比べ、第１列がスクリーンから遠くなる一方で、最終列がスクリーンにより近くなる座席部領域の構成を形成する（換言すると、座席部領域の奥行きが小さくなる）。各々のプラットフォーム内で、段の傾斜は有効な基準に準拠している。
【００９３】
さらに、プラットフォームを、投影される画像の高さの全体または大部分にわたって分布させることにより、座席数を増やし、観客を画像の全表面に面するように配置することを可能にすることができる。
【００９４】
さらに、映写装置（この例では、映写室に収容される）を、スクリーン１５の中心の幾何学的な軸上に正確に配置することができる。
【００９５】
これらの配置は、投影スクリーンに面して観客を位置させるためのより良い妥協を提供可能にする。
【００９６】
上述のように、ＣＳＴの特定の勧告は、最大の投影画像の寸法（幅Ｌ、高さＨ）に言及しいている。本発明の特性に具体的な性質を与えるために、以下の説明においては、最大の投影画像の寸法Ｌ、Ｈが、スクリーンの寸法Ｌ、Ｈに対応すると考える。当然ながら、該当のスクリーンが投影される画像のフォーマットに一致する寸法を呈することを、理解すべきである。そのようでない場合、最大の投影画像の寸法Ｌ、Ｈを考慮すべきである。
【００９７】
図３を参照すると、シアター１０の容積は、天井１１と、フロア１２と、スクリーン１４が前方に配置された前壁１３と、後壁１５とによって定められる。スクリーン１４は、特定の今日のシアターにおいてすでに知られている種類の凹状の円形を呈する。この例では、スクリーンの幅Ｌが２９ｍ、高さＨが１５．３０ｍであると考えられ、比Ｌ／Ｈが通常は以下のように定義されると理解される。
１．６６＜Ｌ／Ｈ＜２．３９
【００９８】
図３および図４を参照すると、座席部領域１６は、複数のプラットフォーム１７を有する。最も下方のレベルに位置するプラットフォーム１７ａを除き、すべてのプラットフォームは空中にあり、すなわち後壁１５に固定されている。「空中」という用語は、プラットフォームが後壁１５に固定されることによってのみ所定の場所に保持され、下方のプラットフォームの観客の視界を妨げかねない支持柱または支柱が設けられていないことを意味すると、理解されるべきである。プラットフォーム１７は、スクリーン１４の全高Ｈに沿って、最も下方のプラットフォーム１７ａ、中間のプラットフォーム１７ｂ、および最も上方のプラットフォーム１７ｃとして配置される。
【００９９】
シアター１０において、プラットフォーム１７は、より高い高さに配置される場合にスクリーン１４からさらに離れて位置する。結果として、最も下方のプラットフォーム１７ａがスクリーン１４に最も近く、上方のプラットフォーム１７ｃが最も遠くに位置する。したがって、最も下方のプラットフォームは別として、各々のプラットフォーム１７は、該当のプラットフォームよりも下方のプラットフォームと比べてスクリーンからより遠くに位置する（後述されるように、映写室を支持するプラットフォームを除く）。結果として、図３に示されるように、各々のプラットフォーム１７のスクリーン１４に最も近い前縁１８は、下方のプラットフォームのスクリーン１４に最も近い前縁１８の距離Ｄｉｎｆよりも大きいスクリーン１４からの距離Ｄｓｕｐに位置する。
【０１００】
図３、図４、および図５を参照し、スクリーン１４の凹状の円形（水平面における断面）および座席部領域１６の反対向きの円弧状の構成を考えると、第１列２０の距離Ｄ１、Ｄ１ａ（図５）が、最も下方のプラットフォーム１７ａの横方向位置に応じて異なることに、気付くはずである。最短距離を含むすべての距離Ｄ１、Ｄ１ａが、以下に定められる基準を満たす必要があることを、考慮すべきである。スクリーン１４からの最後列の距離Ｄ２は、この距離Ｄ２が同じ断面内でとられているため、図３、図４、および図５において同一である。図示の例においては、各々のプラットフォーム１７について３列の座席が設けられている。最後列の観客を含むすべての観客が投影画像の全体を見ることができるように保証するために、最も下方のプラットフォームを除く各々のプラットフォーム１７のスクリーン１４に最も近い前縁１８は、この前縁１８が直下に位置するプラットフォームの最後列に位置してスクリーン１４の上縁１９を見つめる観客の目から出発する視野円錐Ｙ内に位置することがないように保証するスクリーンからの距離Ｄｓｕｐに位置する。
【０１０１】
空中プラットフォーム１７における観客のこの分布は、連続的に配置されて連続的な階段または通路につながる座席の列に適用される段の傾斜に関する規格が、適用されないことを意味する。図示の例において、最も下方のプラットフォーム１７ａの第１列２０から最も上方のプラットフォーム１７ｃの最後列２１までの段の投影傾斜を定める角度αは、５０°である。より正確には、角度αは、座席部領域１６の最初の列２０および最後の列２１を含む平面Ｐが、（図３および図４の断面において）投影軸ＸＸ’に平行かつスクリーン１４に垂直なＸＸ’１に対して形成する角度であると考えられる。プラットフォーム１７内の段の傾斜を定める角度α３は、それ自体は２４°未満である。
【０１０２】
段の全体的な傾斜のこの増大は、観客をスクリーン（最大の投影画像）の高さＨのより大きな部分にわたって広げることを可能にし、高さＨの全体にわたって広げることさえ可能にするとともに、第１列２０をスクリーン１４からさらに遠ざけることも可能にする。この例においては、図３を参照して、スクリーンまでの第１列２０の第１の距離Ｄ１ａは、約１７．５ｍ、すなわち約０．６×Ｌであり、したがってＣＳＴの勧告を満たしている。したがって、最も下方のプラットフォーム１７ａの第１列２０に位置する観客は、投影画像の全体を見るために頭を大きく傾ける必要はない。最大の投影画像の半分の高さＨ／２に関する上記定義の角度α１は、２０°〜２４°の範囲にあり、画像の上縁１９に関する角度α２は、３７°〜４１°の範囲にあり、これら２つの値は、ＣＳＴの勧告よりも実質的に小さく、これらの第１列２０からの視覚的快適性が、今日のシアターと比較してより良好であることを示している。投影軸ＸＸ’上に位置する最も下方のプラットフォーム１７ａの第１列２０のスクリーンまでの距離Ｄ１（図４および図５）は、図３に示されている距離Ｄ１ａよりも大きいため、この距離Ｄ１は必然的に１７．５ｍよりも大きく、したがってＣＳＴの勧告をやはり満たしている。
【０１０３】
最も上方のプラットフォーム１７ｃの最後列２１についても、視覚的快適性が改善される。具体的には、座席部領域を空中プラットフォームとして構成することで、最後列をスクリーン１４に近づけることができる。図示の例において、スクリーン１４までの最後列２１の第２の距離Ｄ２は、約２９．３ｍ、すなわちほぼ１×Ｌであり、これはＣＳＴの勧告よりもはるかに小さいだけでなく、図１および図２に示される先行技術のシアターにおける距離Ｄ２よりも小さい。当然ながら、第１の距離Ｄ１、Ｄ１ａの増加および第２の距離Ｄ２の減少は、座席部奥行きＤ３、Ｄ３ａの減少につながり、座席の奥行きは、図１のシアターにおける２２．８ｍおよび図２のシアターにおける１９．４ｍと比較して約１１．８０ｍ（図３に示されている距離Ｄ３ａについて）である。
【０１０４】
したがって、座席部領域１６の角度αを大きくすることによってもたらされる座席部奥行きの減少は、従来からの設計のシアターと比べて、第１列をスクリーンから大きく離して配置することを可能にする一方で、最後列をスクリーンにより近づけて配置することを可能にし（換言すると、観客が全体としてスクリーンのより近くに位置することを保証し）、これが、すべての観客について視覚的な快適性および画像への没入を高めつつ達成される。
【０１０５】
別の特性は、スクリーンに面する座席部領域１６の新たな構成を示す。これは、座席部領域１６の中央列２４とスクリーン１４との間の距離Ｄｍｏｙである。図３に示される本発明の第１の変種において、この距離Ｄｍｏｙが０．８×Ｌである一方で、図１のシアターにおいては距離Ｄｍｏｙが１．２×Ｌであり、図２のシアターにおいてはこの距離Ｄｍｏｙが１×Ｌである。この距離Ｄｍｏｙは、投影軸ＸＸ’に沿って実質的に大きくなるが、図１および図２のシアターの場合と比べて依然として実質的に小さい。
【０１０６】
座席部高さＨ３に関しては、図３に示されるように、プラットフォームがスクリーン１４の（あるいは、最大の投影画像の）全高Ｈにわたって分布し、あるいは換言すると、この例においてはＨ３＝Ｈである。この配置は、座席部領域１６の大きな角度α、したがって座席部奥行きＤ３ａの減少によって可能にされ、投影装置２２をスクリーン１４の中心Ｏに面してプラットフォーム１７の間に設置できることによっても可能にされる。現在のシアターとは異なり、最後列の高さが、もはや映写室の場所によって制限されることがない。
【０１０７】
加えて、本発明のシアターにおいては、観客間の視覚的な上方空間が、シアター内の位置に関係なく、各々の観客がスクリーン全体を眺めることを可能にする。視覚的な上方空間は、（図４を参照して）以下のように決定される。列ｎ＋１に座る観客の目からスクリーン１４の下縁２３まで延びる線を作図する。列ｎの観客の視線に対する垂直線を作図する。これら２本の線の交点と列ｎの観客の目のレベルとの間の垂直距離を測定することにより、頭部分離値とも呼ばれる視覚的な上方空間ｔを得る。この値は、１２センチメートル（ｃｍ）以上である。
【０１０８】
図４および図６を参照する。投影装置２２は、専用の投影プラットフォーム２２ａ上で、まさにスクリーン１４（または、最大の投影画像）の中心Ｏの幾何学的な軸上に設置される。このプラットフォーム２２ａは、上方に位置するプラットフォームに対して後退した前縁２２ｂを呈することにより、プラットフォームの配置に関する上述の一般的な原理に対する例外を形成する。このようにして、垂直方向の幾何学的歪みおよび水平方向の幾何学的歪みが両方とも０°に近く、あるいは実際にゼロであり、したがって投影画像に最高の質がもたらされる。したがって、優れた画像の質から利益を受けつつ、観客を画像の高さの全体に広げることが可能である。
【０１０９】
あるいは、観客を、好ましくはスクリーン１４の中心Ｏを中心とし、すなわち高さＨ３の１／２に位置する座席部領域１６の中央列２４をスクリーンまたは最大の投影画像の中心Ｏに面するように位置させて、高さＨの一部分のみにわたって広げてもよい。
【０１１０】
第１列２０および最後列２１の観客のための視覚的快適性を保証するために、最も下方のプラットフォーム１７ａは、第１列２０の観客の目がスクリーンに面し、あるいは限界においてスクリーンの下縁２３に面するようなやり方で設置される。同様に、最後列２１の観客の目は、スクリーンに面し、あるいは限界においてスクリーンの上縁１９に面する。換言すると、すべてのプラットフォーム１７は、上縁および下縁に面するなど、スクリーンに面し、したがって最大の投影画像に面して設置され、さらには、すべてのプラットフォーム１７は、高さ方向においてスクリーンの中心Ｏの各側に中心を有する。したがって、座席部領域１６は、第１列から最後列まで、すべての観客が画像に没入することを可能にする。
【０１１１】
図６を参照すると、プラットフォーム１７は、スクリーン１４の全幅Ｌ（図示せず）およびスクリーン１４の全高Ｈにわたって、後壁１５上に互い違いの構成で配置されている。図６において見て取ることができる互い違いの構成において明らかな小さなオフセットは、座席部領域１６の円弧状の構成から生じる。この互い違いの構成により、上述したように、上方のプラットフォームの前縁１８が下方のプラットフォームの最後列に位置してスクリーンの上縁を見つめる観客の目から出発する視線Ｙ上に位置することがないように、垂直軸ＺＺ’に沿って上側および下側の２つのプラットフォームの間に充分な高さを確保しつつ、プラットフォーム１７を一様に配置することが可能になる。
【０１１２】
プラットフォームは、図６および図７に見られるように、後壁１５の背後でシアター１０の外側に位置する踊り場Ｐ１、Ｐ２、Ｐ３、およびＰ４の４つのレベルに対応する４つの階Ａ１、Ａ２、Ａ３、およびＡ４に設置される。踊り場Ｐ１〜Ｐ４は、後壁１５を貫通して配置され、プラットフォームへのアクセス経路を提供する通路を介してアクセス可能である。
【０１１３】
踊り場Ｐ１、Ｐ２、Ｐ３、Ｐ４の各々のレベルは、上り階段２５を介して上方のプラットフォーム１７ｓｕｐにつながり、下り階段２６を介して下方のプラットフォーム１７ｉｎｆにつながる。踊り場を、これらのプラットフォーム１７ｓｕｐ、１７ｉｎｆの観客を待機させるように構成することができる。この構成は、踊り場に応じてさまざまであってよく、したがって個人化されたサービスをシアターにおける観客の位置に応じて提案することができる。
【０１１４】
所与の階につながるプラットフォーム１７ｉｎｆおよび１７ｓｕｐは、実質的に同じレベルで水平に配置されている。それらは全く同じレベルにあるわけではなく、むしろ反対に、高さ方向ＺＺ’に階の約半分だけオフセットされている。このオフセットは、種々のプラットフォームが、それらのプラットフォームを占める観客によって、明らかに別個の空間として認識されることを可能にし、したがって観客にプライバシーの感覚を与えることに寄与する。
【０１１５】
さらに、プラットフォーム１７の幅が狭い（シアターの幅の１５％未満）ことにより、所与の高さに複数のプラットフォームを横並びで有することが可能になる。
【０１１６】
したがって、階Ａ１の高さである第１の高さにおいて、上方のプラットフォーム１７ｓｕｐのレベルに位置する水平面内に、４つのプラットフォーム１７ｓｕｐが存在する。
【０１１７】
さらに、第１の高さに位置する水平面のそれぞれ１階分、２階分、および３階分上方に配置された水平面の各々に、やはり４つのプラットフォーム１７ｓｕｐが存在する。
【０１１８】
プラットフォーム１７ｉｎｆは、プラットフォーム１７ｓｕｐに対して１階の半分だけオフセットされている。プラットフォームの互い違いの配置を考えると、プラットフォーム１７ｉｎｆのレベルの水平断面の各々は、それぞれ３つのプラットフォーム１７ｉｎｆだけを通過する。これらの断面は、プラットフォーム１７ｓｕｐと交差する平面から１階の約半分だけオフセットされている。
【０１１９】
この例において、図７および図８に示されるように、各々のプラットフォームは、円形の縁２７を呈し、３列の座席を有する。したがって、プラットフォーム１７上に位置した観客は、今日のムービーシアターの懇親的な性質から利益を得つつ、プライバシーの感覚を有する。
【０１２０】
後壁１５は、好ましくは、スクリーン１４の凹状の円形の湾曲とは反対向きの湾曲の円弧状であり（図７では見て取ることができない）、したがって画像の中心へと向かう観客の視線の収束が改善される。
【０１２１】
図９は、プラットフォーム１７のうちの１つを通る縦断面である。見て取ることができるとおり、プラットフォーム１７は空中プラットフォームにて示されており、プラットフォーム１７の下方の空間は、プラットフォームのための支持体を有さず、開放されている。
【０１２２】
プラットフォーム１７は、プラットフォームの中心からスクリーンの中心へと向かう方向において互いに前後に位置する３列の座席３１、３２、および３３を有する。さらに、これらの３列の座席は高さがオフセットされており、すなわちプラットフォーム１７上の各々の座席からスクリーンを妨げられることなく眺めることができるように、列３１が列３２よりも少し高く位置し、列３２が列３３よりも少し高く位置している。一般的に、プラットフォーム上の列の数はさまざまであってよく、典型的には２〜６列が存在でき、好ましくは３〜５列が存在する。
【０１２３】
プラットフォーム１７が、図１０に平面図にて示されている。
【０１２４】
プラットフォーム１７は、後壁１５から離して配置されている。プラットフォーム１７は、アクセス連絡路４０によって後壁１５に接続されている。したがって、プラットフォーム１７へのアクセスは、後壁１５に配置された通路を通り、次いで連絡路４０に沿って行われる。
【０１２５】
したがって、この通路は、プラットフォーム１７へのアクセス経路を提供する。
【０１２６】
連絡路４０は、後壁１５を貫いて延び、点Ｍ（図９に概略的に示されている）の周囲の支持領域において後壁１５に支持され、後壁１５の背後に位置するフロア４２に堅固に接続された梁４１の一部である。（用語「梁」は、本明細書において、一方向に或る程度の延在を呈する剛体を指して広く使用される。）
【０１２７】
フロア４２の重量Ｐ２は、点Ｍにおいて、プラットフォーム１７の重量Ｐ１によって発生するモーメントとは反対の符号のモーメントを生成する。したがって、フロア４２は、プラットフォーム１７に対してカウンターウェイトとして作用し、したがって壁に加わる曲げモーメントを減少させるように働作用する。反対に、後壁１５は、プラットフォーム１７とフロア４２との合計重量（図１０の梁４１へと加えられる反力Ｒ）を支持する。
【０１２８】
このように、連絡路４０は、プラットフォーム１７へのアクセスのための手段だけでなく、プラットフォームのための支持体も構成する。上方から見ると、プラットフォームの支持体（連絡路４０）は、後壁をプラットフォームに接続する単一のアームのように見える。
【０１２９】
連絡路４０の幅は、プラットフォーム１７の全幅Ｌｍａｘと比べてきわめて小さい幅Ｌ２だけ延びる（図１０）。典型的には、この幅Ｌ２は、プラットフォームの最大幅Ｌｍａｘの半分未満であり、実際には４分の１未満である。
【０１３０】
より詳しくは、やはり上方から見たときに、プラットフォームの後部は、プラットフォームの最大重量Ｌｍａｘよりも小さい幅Ｌ１を有する。この構成は、アクセス連絡路４０とプラットフォームの中央部との間に末広がりの通路を配置することを可能にする。
【０１３１】
図示の実施形態において、プラットフォーム１７は、実質的に円形である（変種においては、楕円形であってもよい）。
【０１３２】
これらの構成（プラットフォームと後壁との間の連絡路の幅が狭く、プラットフォームの後部の幅が狭い）の各々は、使用される材料の量、したがってプラットフォームの重量を最小にしつつ、プラットフォームを占める観客にプライバシーの間隔を与えることに寄与する。
【０１３３】
図示の変種においては、単一のアクセス連絡路４０が、後壁１５からプラットフォーム１７へのアクセスをもたらす。シアターは、このプラットフォームへのアクセスが、この連絡路４０によってのみ可能であるようなやり方で構成されている。
【０１３４】
本発明の第２の変種のシアター１０が、図１１および図１２に示されている。
【０１３５】
この変種において、上述の変種と同様に、シアター１０は、まとめて「プラットフォーム１１７」と呼ばれる種々のプラットフォームを有し、これらのプラットフォーム１１７は複数の階に割り当てられている。
【０１３６】
図１１は、プラットフォーム１１７のうちの第１の階に位置するプラットフォームを示しており、これらはシアター１０の第１の階に位置するフロア４２１からアクセス可能なプラットフォーム１１７である。
【０１３７】
プラットフォーム１１７Ａは、図９および図１０のプラットフォームと同様の円形プラットフォームであり、ただ１つの連絡路１４０につながっている。
【０１３８】
第１の階のプラットフォーム１１７は、３つのプラットフォーム１１７Ａ、１１７Ｂ、および１１７Ｂ’を含む。プラットフォーム１１７Ｂおよび１１７Ｂ’は、シアターの中央平面に関して互いに対称である。プラットフォーム１１７Ｂおよび１１７Ｂ’は、プラットフォーム１１７Ａよりも少し高い位置にある。
【０１３９】
プラットフォーム１１７Ｂは、４列の座席を有する。プラットフォーム１１７Ｂは、後壁１５から或る距離だけ離して配置されている。
【０１４０】
２つの連絡路がプラットフォーム１１７Ｂにつながっている。これらの連絡路は、プラットフォーム１１７Ｂを支持する梁１４０１および１４０２の一部を形成する。これらの梁１４０１および１４０２は、後壁１５を通過し、後壁１５の背後で、図９の連絡路４０と同様のやり方で前側において連絡路を支持するフロア４２１へと接続される。
【０１４１】
図１２は、第２の変種のシアター１０の第２の階を示している。この階において、シアター１０は、３つのプラットフォーム１１７Ｃ、１１７Ｄ、および１１７Ｄ’を有する。プラットフォーム１１７Ｄおよび１１７Ｄ’は、シアターの中央平面に関して互いに対称であり、これらのプラットフォームは、図９および図１０のプラットフォームと同様の円形プラットフォームである。中央のプラットフォーム１１７Ｃは、５列の座席を有する。中央のプラットフォーム１１７Ｃは、３つの連絡路によってフロア４２２からアクセスされる。これらの連絡路は、プラットフォーム１１７Ｂを支持する梁１４１１、１４１２、および１４１３の一部を形成する。これらの梁１４１１、１４１２、および１４１３は、図９の連絡路４０と同様のやり方で配置される。
【０１４２】
図１３を参照して、第３の変種の実施形態を以下で説明する。
【０１４３】
上述のように、プラットフォームは、好ましくはすべてがシアター内のスクリーンから同じ距離に位置するのではなく、むしろ反対に、プラットフォームの位置がより高いほどスクリーンからより遠くなるように位置する。
【０１４４】
第１または第２の変種のシアターにおいて、この配置は、主として、後壁が後方へと傾斜する前面を呈するという事実からもたらされる（図３）。これにより、プラットフォームを、プラットフォームの位置が高くなるにつれてスクリーンからの距離が大きくなるように配置することが可能になる。
【０１４５】
このやり方に代え、あるいはこのやり方に加えて、プラットフォームの位置が高くなるにつれて後壁に次第に近づくようにプラットフォームを配置することも可能である。そのような状況下で、プラットフォームへのアクセスをもたらす連絡路は、高い位置に配置されるものほど短くなることを、理解できるであろう。
【０１４６】
スクリーンに対するプラットフォームの奥行きを変えるために、これらの手段のうちの一方および／または他方を採用することができる。
【０１４７】
したがって、図１３は、プラットフォームがより高くに位置するにつれて後壁に次第に近づくように配置された第３の変種を示している。これにより、第１および第２の変種とは異なり、後壁１５を垂直にする（とくには、後壁１５が垂直な前面を有する）ことが可能である。したがって、プラットフォーム１７と後壁１５との間の距離ｄは、該当のプラットフォームの高さが増すにつれて減少する。これにより、より低い高さに位置するプラットフォームほど、より長い１つ以上のアクセス連絡路がプラットフォームについてアクセス用に設けられることになる。
【０１４８】
図１３において見られるように、後壁１５は、天井１１までは延びていない。後壁１５は、屋根を支持するための荷重支持機能を有しておらず、空中プラットフォーム１７ならびにそれらへのアクセスをもたらす種々のフロアおよび階段を支持するためのものにすぎない。
【０１４９】
第４の変種の実施形態を、図１４および図１５を参照して以下で説明する。
【０１５０】
この変種のシアターは、第３の変種のシアターに類似しており、すでに説明したシアターと同様に、選択的に「プラットフォーム１１７」と呼ばれる種々の突出プラットフォームを呈する。
【０１５１】
下方から上方へと、これらのプラットフォーム１１７は、シアターの最も下方の階Ｎ０のプラットフォーム１１７０（これらの最も下方のプラットフォーム１１７０は、空中プラットフォームではない）と、シアターの第１の階Ｎ１のプラットフォーム１１７Ａおよび１１７Ｂと、シアターの第２の階Ｎ２のプラットフォーム１１７Ｃおよび１１７Ｄと、シアターの第３の階Ｎ３のプラットフォーム１１７Ｅおよび１１７Ｆとを含む。
【０１５２】
図１５は、上方から見たシアターの第１の階Ｎ１を示している。
【０１５３】
第２および第３の変種の実施形態と第４の変種の実施形態との間の主な違いは、プラットフォーム１１７へのアクセス方法にある。
【０１５４】
第２および第３の変種の実施形態においては、プラットフォームは、後壁１５へと延びるアクセス連絡路を有し、プラットフォームは、後壁を通り抜けて連絡路のうちの１つに沿って移動することによってのみアクセスされる。
【０１５５】
対照的に、第４の変種においては、シアターの後壁１５を貫通する通路によってプラットフォーム１７にアクセスする代わりに、これらのプラットフォームは、後壁１５の前方に配置されたギャラリー（例えば、図１５の第１の階Ｎ１のギャラリー５０）に沿って歩行し、次いで例えば連絡路１４０、１４０１、１４０２のうちの１つなど、連絡路のうちの１つに沿って進むことによってアクセスされる。
【０１５６】
このように、プラットフォーム１７の各々は、１つ以上の連絡路、すなわちプラットフォーム１１７Ａ用の連絡路１４０や、プラットフォーム１１７Ｂ用の連絡路１４０１および１４０２を介して、ギャラリー５０に接続されている。
【０１５７】
これらの連絡路ゆえに、プラットフォームは、シアターの残りの部分から或る距離だけ離して配置され、とくにはギャラリー５０から或る距離だけ離して配置される。これにより、プラットフォームに位置する観客に或る程度のプライバシーを提供することが可能になる。
【０１５８】
各階において、後壁１５は、ギャラリーから後壁１５の背後に設けられた踊り場へと移動することを可能にする通路を有する。例えば階Ｎ１の踊り場４２１（図１５）など、これらの踊り場は、階段へのアクセスを提供し、したがって、さまざまな階へのアクセスを提供する。
【図１】
2020514597.tif 000003
【図２】
2020514597.tif 000004
【図３】
2020514597.tif 000005
【図４】
2020514597.tif 000006
【図５】
2020514597.tif 000007
【図６】
2020514597.tif 000008
【図７】
2020514597.tif 000009
【図８】
2020514597.tif 000010
【図９】
2020514597.tif 000011
【図１０】
2020514597.tif 000012
【図１１】
2020514597.tif 000013
【図１２】
2020514597.tif 000014
【図１３】
2020514597.tif 000015
【図１４】
2020514597.tif 000016
【図１５】
2020514597.tif 000017
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
前端に位置する少なくとも１つのスクリーン（１４）と、
前記少なくとも１つのスクリーン（１４）上にビジュアルコンテンツを表示するために適した表示装置（２２）と、
前記少なくとも１つのスクリーンに面して配置された後壁（１５）と、
各々に複数の座席が固定されている複数のプラットフォーム（１７、１１７）と
を備えるシアターであって、
前記プラットフォームの各々は、
突出プラットフォーム、すなわち該プラットフォーム上に存在する観客にとって前記座席の背後からのみ当該シアターの残りの部分に接続されているように見えるプラットフォームであり、
当該シアターの幅の７０％未満の幅を呈し、
観客が該プラットフォーム上に設けられた座席にアクセスするために該プラットフォーム上を歩行することができる、シアター。
【請求項２】
前記プラットフォーム（１７、１１７）のうちの少なくとも１つが、空中プラットフォーム、すなわち該プラットフォームのためのスタンドまたは支持体が通っていない該プラットフォームと同じ面積を有する開放空間が直下に存在するプラットフォームである、請求項１に記載のシアター。
【請求項３】
少なくとも１つの空中プラットフォーム（１７、１１７）は、前記後壁のみによって支持され、さらには／あるいは前記後壁を介してのみ支持されている、請求項２に記載のシアター。
【請求項４】
前記プラットフォーム（１７、１１７）へのアクセス経路を含んでおり、該アクセス経路は、複数の階を定めており、
前記プラットフォームのうち、少なくとも第１のプラットフォームおよび第２のプラットフォームが、実質的に同じレベルにおいて水平方向に配置され、前記第１および第２のプラットフォームの間の高さの差は、階の高さの７０％未満である、請求項１〜３のいずれか一項に記載のシアター。
【請求項５】
前記少なくとも１つのプラットフォームは、前記後壁から離して配置されている、請求項１〜４のいずれか一項に記載のシアター。
【請求項６】
前記プラットフォームのうちの少なくとも１つのプラットフォームの後部は、該プラットフォームの最大幅（Ｌｍａｘ）よりも小さい幅（Ｌ１）を有する、請求項１〜５のいずれか一項に記載のシアター。
【請求項７】
前記プラットフォーム（１７）のうちの少なくとも１つのプラットフォームへのアクセスは、前記後壁（１５）を貫いて配置された１つ以上の通路を介してのみ得ることができるようなやり方で構成された、請求項１〜６のいずれか一項に記載のシアター。
【請求項８】
前記プラットフォームのうちの少なくとも１つのプラットフォームについて、少なくとも１つのアクセス連絡路（４０）が該プラットフォームへのアクセスを提供する、請求項１〜７のいずれか一項に記載のシアター。
【請求項９】
前記プラットフォームのうちの少なくとも１つのプラットフォームについて、少なくとも１つのアクセス連絡路（４０）が前記後壁（１５）から該プラットフォームへとアクセスされる、請求項１〜７のいずれか一項に記載のシアター。
【請求項１０】
少なくとも１つのプラットフォーム（１７；１１７Ｂ；１１７Ｃ）が、前記少なくとも１つの連絡路（４０；１４０１、１４０２；１４１１、１４１２、１４１３）によってのみ支持されている、請求項８または９に記載のシアター。
【請求項１１】
前記プラットフォームのうちの少なくとも１つのプラットフォームについて、前記少なくとも１つの連絡路（４０；１４０１、１４０２；１４１１、１４１２、１４１３）は、該プラットフォームの最大幅（Ｌｍａｘ）の半分よりも小さい累積幅（Ｌ２）を超えて延びている、請求項８〜１０のいずれか一項に記載のシアター。
【請求項１２】
前記プラットフォームのうちの少なくとも１つのプラットフォームは、前記後壁（１５）を該プラットフォーム（１７；１１７Ｂ；１１７Ｃ）へと接続する１つ以上のアーム（４０；１４０１、１４０２；１４１１、１４１２、１４１３）によって本質的に支持されている、請求項１〜１１のいずれか一項に記載のシアター。
【請求項１３】
前記プラットフォームのうちの少なくとも１つは、前記後壁（１５）を通過して該後壁（１５）上に支持される少なくとも１つの梁（４１）によって支持され、前記梁は、前記後壁の前記スクリーン（１４）から離れる方を向いた側に配置されたカウンターウェイト（４２）を支持する、請求項１〜１２のいずれか一項に記載のシアター。
【請求項１４】
上方のプラットフォーム（１７、１１７）ほど前記スクリーン（１４）から遠くに位置する、請求項１〜１３のいずれか一項に記載のシアター。
【請求項１５】
前記後壁（１５）は、後方へと傾斜した前面を呈する、請求項１〜１４のいずれか一項に記載のシアター。
【請求項１６】
正面図において、少なくとも１つのプラットフォーム（１７、１１７）が、該プラットフォームに最も近い４つの他のプラットフォームに対して互い違いの構成に配置されている、請求項１〜１５のいずれか一項に記載のシアター。
【請求項１７】
天井（１１）をさらに備えており、前記後壁は、前記天井（１１）までは延びていない、請求項１〜１６のいずれか一項に記載のシアター。
【請求項１８】
少なくとも第１の高さにおいて、所与の水平断面内に少なくとも２つのプラットフォームが存在する、請求項１〜１７のいずれか一項に記載のシアター。
【請求項１９】
少なくとも第１の高さ、および該第１の高さから少なくとも１階分の高さだけオフセットされた少なくとも第２の高さにおいて、所与の水平断面内に少なくとも２つのプラットフォームが存在する、請求項１〜１７のいずれか一項に記載のシアター。
【国際調査報告】
2020514597.tif 000018
2020514597.tif 000019
2020514597.tif 000020
2020514597.tif 000021